(57)【要約】  【課題】  従来、各遊技媒体貸出装置と紙幣搬送装置と島管理装置の通信ラインを繋ぐ中継装置は、各遊技設備の各配線を接続するため、遊技島内に設置されることから、遊技設備の施工の際、遊技島の幕板や腰板、遊技設備等を取り外し、遊技島内の配線類を掻き分け、空スペースに設置を行うので、施工時間が長くなり遊技場経営者に迷惑をかけていた。【解決手段】  遊技媒体貸出装置と、紙幣識別装置を備えた紙幣搬送装置の動作状況を管理する管理装置と通信接続し、配電可能とする中継装置を、紙幣搬送装置と呼び出しランプとの間に着脱可能に取り付けた。【選択図】    図１  
2005185674.tif 000002
【特許請求の範囲】
【請求項１】
複数の遊技台と、遊技媒体を貸出す遊技媒体貸出装置と、前記遊技台の上方近傍の取付部材に取り付けられ、前記遊技媒体貸出装置の紙幣投入口に投入された紙幣を搬送する紙幣識別装置を備えた紙幣搬送装置からなる遊技設備において、前記遊技媒体貸出装置と、前記紙幣識別装置を備えた紙幣搬送装置の動作状況を管理する管理装置と通信接続し、配電可能とする中継装置を、前記紙幣搬送装置と呼び出しランプとの間に着脱可能に取り付けたことを特徴とする遊技設備の中継装置。
【発明の詳細な説明】
【技術分野】
【０００１】
本発明は、例えば、パチンコ、パチスロ遊技店の遊技設備として、遊技台に連接し遊技島に配列された遊技媒体貸出装置と、遊技台上方近傍に位置し、配列方向に沿って紙幣を搬送する紙幣識別装置を備えた紙幣搬送装置と、前記遊技媒体貸出装置と前記紙幣搬送装置と島管理装置との間の通信を中継する中継装置に関するものである。
【背景技術】
【０００２】
パチンコ、パチスロ遊技店においては、パチンコ台やスロットマシン等の遊技台を横方向、直線的に配列し、遊技台の一台毎に遊技者に遊技媒体を供給する遊技媒体貸出装置が連接され、遊技台の上方近傍の取付部材と呼び出しランプとの間に取付けられ、遊技台配列方向に沿って紙幣を搬送し、遊技客が投入する紙幣の真偽識別を行う紙幣識別装置を備えた紙幣搬送装置が設けられ、遊技島を構築している。        
【特許文献１】特開２００３−２６５８４０
【０００３】
また、前記構成による紙幣搬送装置は、遊技島を構成する遊技媒体貸出装置とは別体に構成されているため、遊技島に紙幣搬送装置を取り付ける際の作業がし易くなり、また仮に紙幣搬送装置の駆動部（駆動モータ等）が故障しても交換が容易に行える。
また、紙幣搬送装置を覆っている前面カバーが、開閉可能に構成されているため、途中にて紙幣詰まり等のトラブルが発生した場合でも、前面カバーを開閉して詰まっている紙幣を素早く取り除くことが出来る。さらに、前面カバーの一端側に施錠装置が備えられているため、店員以外の遊技客には不正な開閉操作が出来ないように成っており、搬送途中の紙幣を抜き取る不正（盗難）が防止できる。
【０００４】
更に、遊技媒体貸出装置や紙幣搬送装置からの売上やトラブル等の各種営業情報を集中管理し、紙幣搬送装置にて搬送された紙幣を一括回収する島管理装置が遊技島の一端に設けられ、各遊技媒体貸出装置と紙幣搬送装置は島管理装置と島内に配置されている中継装置６１を介して通信ラインで接続されている。（図６参照）
【発明の開示】
【発明が解決しようとする課題】
【０００５】
しかしながら、各遊技媒体貸出装置と紙幣搬送装置と島管理装置の通信ラインを繋ぐ中継装置は各遊技設備の各配線を接続するため、遊技島内に設置されることから、遊技設備の施工の際、遊技島の幕板や腰板、遊技設備等を取り外し、遊技島内に張り巡らされている配線類を掻き分け、空いているスペースに設置を行うので、施工時間が長くなり遊技場経営者に迷惑をかけていた。また、昨今のパチスロの遊技島では、島全体の大きさや高さを極力縮小したものが多く、そういった遊技島においては上記記載したもの（遊技設備、幕板、腰板）以外でも、遊技島天井部の板などを取り外し、可能な限り空スペースを作り取り付けを行っていたので、中継装置を島内に設置する事が困難であった。更に、遊技媒体貸出装置の設置条件におけるモード設定及び各遊技媒体貸出装置に与えるＩＤ番号の設定を中継装置に備えたスイッチ（ディップスイッチ等）を操作して行うが、遊技設備を外す、幕板等を外すなどして、設定を行うので、作業がしにくかった。
本発明の目的は施工者が紙幣搬送装置を遊技島に設置する際の作業が容易に行えるようにした遊技設備の中継装置を提供する。
【課題を解決するための手段】
【０００６】
複数の遊技台と、遊技媒体を貸出す遊技媒体貸出装置と、遊技台の上方近傍の取付部材に取り付けられ、遊技媒体貸出装置の紙幣投入口に投入された紙幣を搬送する紙幣識別装置を備えた紙幣搬送装置からなる遊技設備において、遊技媒体貸出装置と、紙幣識別装置を備えた紙幣搬送装置の動作状況を管理する管理装置と通信接続し、配電可能とする中継装置を、紙幣搬送装置と呼び出しランプとの間に着脱可能に取り付けたことで達成される。
【発明の効果】
【０００７】
本発明によれば、紙幣搬送装置と呼び出しランプの間のスペースを利用して、中継装置を取り付けることで、島内の配線などを掻き分け、中継装置を設置する場所を作るような従来の複雑な島工事を必要とせず、施工時間が短縮される。また、設定を上記の場所にて取り付けられた中継装置で行うことで遊技設備を遊技島から外すことなく簡単に設定変更が行える。更に、中継装置を着脱自在に構成したことで、基板が故障しても簡単に交換作業が可能であるため、遊技場経営者に迷惑をかけることなく短時間で、交換作業ができる。
【実施例１】
【０００８】
図１は、本発明における中継装置を取り付けた遊技島の全体構成を示す図である。図６に示す従来の遊技島全体構成図の符号を用いて説明する。図１に示す様に、遊技島１では、遊技台２（図中ではパチスロ台）が横方向、直線的に配列され、各遊技台２には遊技媒体貸出装置４が連列している。紙幣搬送装置５は遊技台２の上方近傍に位置し、取付部材１２と呼び出しランプ７との間に設置されている。紙幣搬送装置５は紙幣識別装置を内蔵し、遊技台２同様、横方向、直線的に配列され、遊技客が投入した紙幣を遊技島端の管理装置３に搬送して回収する。また営業中、紙幣搬送装置５から紙幣を抜き出す、紙幣識別装置６を壊す、などといった問題でのセキュリティーのため、紙幣識別装置６には識別部カバー１１を、紙幣搬送装置５には開閉可能な前面カバー１０が施されている。本発明の中継装置は、制御部８と電源部９とが別体に構成され、紙幣搬送装置５の前面カバー１０の裏側に取り付ける。これらに接続される配線類、コネクタ類は、呼び出しランプ７の配線と合わせて紙幣搬送装置５の裏を回り、遊技島１内部に収納される。（図中、特に配線類は図示しない。）。前面カバー１０の裏側に取り付けることにより、営業中は前面カバー１０を閉じるので、外観上遊技客に目視できない位置に取り付けられている。また、前面カバー１０は紙幣搬送装置５のセキュリティーの関係上、識別部カバー１１を併用し施錠が可能なので、営業中は施錠をかけるとともに、遊技客に制御部８の設定を悪戯されるようなことはない。  
【０００９】
図２、図３は本発明である制御部８と電源部９の外観斜視図を示すものである。制御部８、電源部９はそれぞれ長方形箱型形状した制御基板ケース２２、電源基板ケース３２に収納されている。制御基板ケース２２には制御基板２１が収納されている。同様に、電源基板ケース３２には電源供給基板３１が収納されている。各基板ケース２２，３２の側面には爪形状部２３、３３が形成されている。また、その反対の側面にはリブ形状部２４が形成されており、この両端を使用し前面カバー１０に取り付けを行う。（図３中電源部のリブ形状部は省略する。）島管理装置３から各中継装置（制御部８、電源部９）に配電される電源は、制御部８にて紙幣搬送装置５の駆動部（駆動モータ等）に配電される。また、制御部８に送られた電源は配線を介し、電源部９へ送られて変圧を行い、紙幣搬送装置５に内蔵された紙幣識別装置６の駆動部（駆動モータ等）へ配電される。    
【００１０】
制御部８には、モード設定用スイッチ２６、ＩＤ設定用スイッチ２７が制御基板２１上に設けられている。モード設定用スイッチ２６は、その遊技島１での各遊技媒体貸出装置４の設置条件（例えば、隔台設置時、遊技島終端時など）での設定を行うものである。ＩＤ設定用スイッチ２７では各遊技媒体貸出装置４に与えるＩＤ番号の設定を行うものである。各設定を行うスイッチは制御基板ケース２２に開けられた開口部分２５により、制御基板２１を制御基板ケース２２に嵌合した状態又は、前面カバー１０に制御部８を取り付けた状態でも設定及び確認が行える。  
【００１１】
図４は、制御基板２１と制御基板ケース２２の分解斜視図を示す。制御基板ケース２２にはケース内部の４隅に設けられた段付ボス４１と、上下４箇所に基板止め爪４２が形成され（図中上部基板止め爪は省略する。）、制御基板２１の４隅に形成された穴に位置を合わせ、基板裏面を押すことにより、制御基板ケース２２内上下4箇所の基板止め爪４２が基板裏面に嵌合する。電源部９にも同様に形成されているため、同じ嵌合にて行える。このように、ネジ類などを使用せずに基板とケースの嵌合が可能であることから、組立工程の簡素化、コスト削減に繋がる。これは、後述する前面カバーに制御部８、電源部９を取り付けるときにも同様の効果がある。また、本発明では上記の嵌合方法を記載したが、これに限定はしない（例えば、スライドロック方式等）。  
【００１２】
図５は制御部８と電源部９とを取り付けた前面カバー１０の正面図を示す。前面カバー１０の裏側にはカバーの補強材５２と固定板５１が両端に設けられている。このカバー表側中央には遊技設備品７（例えば、呼び出しランプ等）が固定されている。補強材５２と固定板５１には制御部８、電源部９を取り付けるための凸部５３が複数箇所（例えば左右4箇所）形成されている。取り付けにあたっては、各基板ケース２２，３２に形成されたリブ形状部２４を先に凸部５３に滑り込ませるように入れ込み、片側の凸部５３に各基板ケース２２，３２の爪形状部２３，３３をはめ込み取り付ける。なお、各基板ケース２２，３２の爪形状部２３，３３、リブ形状部２４が嵌合し、制御部８、電源部９が取り付け可能であれば図中の方法でなくてもよい（例えば、回動ロック方式等）。なお、制御部８、電源部９の取り付け方向は上下どちらでも構わない。  
【００１３】
制御部８、電源部９は前面カバー１０の裏側の略中央部、左右均等の位置で固定されている。なお、制御部８、電源部９は前面カバー１０の裏側に取り付け可能であればどの位置でも構わない。また、実際は制御部８と電源部９は配線類で接続され、遊技島１内部からの配線、紙幣搬送装置５、紙幣識別装置等６の配線が制御部８、電源部９に接続されるが、ここでは図示せず省略しておく。図５のように、前面カバー１０の裏側に中継装置を制御部８、電源部９に別体の構成とし、取り付け可能とすることで、施工時に遊技設備を外す、幕板や腰板を外す、遊技島１内部の乱雑した配線類を整理し、中継装置を取り付けるスペースを確保するなどの作業が減り、施工時間の短縮が図れる。また、前面カバー１０を開くだけで各遊技媒体貸出装置４のモード設定、ＩＤ設定等行えるので、従来のように、設定を行うとき、わざわざ遊技島内部に入ることが無くなり施工者の負担が軽減できる。また、万が一設定ミスをしても、簡単に設定変更が可能である。さらに、制御部８、電源部９は爪形状部２３、３３、リブ形状部２４を使用し、着脱自在に構成することから、基板が故障した際、前面カバー１０を開いて制御部８、電源部９に接続されている配線類を外し、爪形状部２３、３３を凸部５３から外すだけで固定解除できるので、アフター時の交換作業がスムーズに行える。  
【００１４】
本発明において、中継装置は、制御部８と電源部９に分けて記載しているが、これは遊技島１に設けられた設備の使用電圧の違いにより管理装置３から配電される電圧を変圧しなければならないためである。このため、遊技設備の使用電圧が同じであれば、電源部９は無くてもよい。  
【００１５】
本発明において、制御部８、電源部９を前面カバー１０の裏側に別体として配置したが、前面カバー１０に内蔵し、一体化としてもよい。また、前面カバー１０の裏側ではなく、表側に取り付けを行っても良い。
【図面の簡単な説明】
【００１６】
【図１】中継装置を取り付けた遊技島の全体構成を示す図である。
【図２】制御部の外観斜視図を示す図である。
【図３】電源部の外観斜視図を示す図である。
【図４】制御部の分解斜視図を示す図である。
【図５】制御部と電源部とを取り付けた前面カバーの正面図を示す図である。
【図６】従来の遊技島の全体構成図を示す図である。
【符号の説明】
【００１７】
１    遊技島  ２    遊技台  ３    管理装置  ４    遊技媒体貸出装置  ５    紙幣搬送装置  ６    紙幣識別装置  ７    呼び出しランプ  ８    制御部  ９    電源部  １０  前面カバー  １１  識別部カバー  １２  取付部材  ２１  制御基板  ２２  制御基板ケース  ２３  爪形状部  ２４  リブ形状部２５  開口部分２６  モード設定用スイッチ２７  ＩＤ設定用スイッチ  ３１  電源供給基板  ３２  電源基板ケース  ３３  爪形状部  ４１  段付ボス  ４２  基板止め爪  ５１  固定板  ５２  補強材  ５３  凸部  ６１  中継装置
【図１】
2005185674.tif 000003
【図２】
2005185674.tif 000004
【図３】
2005185674.tif 000005
【図４】
2005185674.tif 000006
【図５】
2005185674.tif 000007
【図６】
2005185674.tif 000008